(57)【要約】【課題】取付対象物に対して太陽電池モジュールを十分な強度で取付けることができると共に、取付けた後でも取付強度を十分に維持することができる太陽電池モジュールの取付構造を提供する。【解決手段】太陽電池パネル３を枠体２で囲った太陽電池モジュール４を固定部材６に取付けるための取付構造１に、太陽電池モジュール４の南方側の枠体２が載置される第一載置部１１ｃを有し、固定部材６に取付けられる第一取付部材１１と、第二設置部１２ａ、及び第一載置部１１ｃと同一面上に延出し北方側の枠体２が載置される第二載置部１２ｃを有し、異なる固定部材６に取付けられる第二取付部材１２と、第一載置部１１ｃと第二載置部１２ｃとに跨って架設される架設部材１３と、南方側の枠体２を第一載置部１１ｃへ押圧する第一押圧部材１６Ａと、北方側の枠体２を第二載置部１２ｃへ押圧する第二押圧部材１６Ｂと、を具備させる。【選択図】図２
2015113647.tif 000002
【特許請求の範囲】
【請求項１】
平板状の太陽電池パネルの外周が枠体で囲まれている太陽電池モジュールを取付対象物に取付けるための太陽電池モジュールの取付構造であって、
設置対象物に取付けられる平板状の第一設置部、及び該第一設置部の一端部辺に接続されており太陽電池モジュールの一辺の枠体が載置されている平板状の第一載置部、を有している第一取付部材と、
設置対象物における該第一取付部材から離間した位置に取付けられる平板状の第二設置部、及び該第二設置部の一端部辺に接続されていると共に前記第一載置部と同一面上に延出しており太陽電池モジュールにおける該第一載置部に載置されている枠体の辺と平行な辺の枠体が載置されている平板状の第二載置部、を有している第二取付部材と、
前記第一載置部と前記第二載置部とに跨って架設されるように両端部側が前記第一載置部と前記第二載置部に夫々取付けられている帯板状の架設部材と、
前記第一載置部に載置されている枠体の上面を該第一載置部へ押圧している第一押圧部材と、
前記第二載置部に載置されている枠体の上面を該第二載置部へ押圧している第二押圧部材と
を具備していることを特徴とする太陽電池モジュールの取付構造。
【請求項２】
前記第一取付部材は、前記第一載置部を貫通している第一取付孔を更に有していると共に、
前記第二取付部材は、前記第二載置部を貫通している第二取付孔を更に有しており、且つ、
前記架設部材は、前記第一取付孔及び前記第二取付孔と夫々一致している第一挿通孔及び第二挿通孔を有しており、
前記第一取付孔と前記第一挿通孔、及び前記第二取付孔と前記第二挿通孔、を夫々貫通して前記架設部材を前記第一載置部及び前記第二載置部に取付けている第一ボルト及び第二ボルトを、更に具備している
ことを特徴とする請求項１に記載の太陽電池モジュールの取付構造。
【請求項３】
前記架設部材は、
前記第一載置部及び前記第二載置部の外周面の少なくとも一部に当接している当接部を有していることを特徴とする請求項１又は請求項２に記載の太陽電池モジュールの取付構造。
【発明の詳細な説明】
【技術分野】
【０００１】
本発明は、平板状の太陽電池パネルの外周が枠体で囲まれている太陽電池モジュールを取付対象物に取付けるための太陽電池モジュールの取付構造に関するものである。
【背景技術】
【０００２】
平板状の太陽電池パネルの外周が枠体で囲まれている太陽電池モジュールを、屋根上等の取付対象物に取付ける取付構造としては、屋根上に立設されており太陽電池モジュールの四辺の枠体のうちの一辺の枠体が上面に取付けられている第一取付部材と、屋根上において第一取付部材よりも離れた位置に立設されており太陽電池モジュールの反対側の辺の枠体が上面に取付けられていると共に第一取付部材よりも高さが高い第二取付部材と、を備えた取付構造が提案されている（特許文献１及び特許文献２）。
【０００３】
これら特許文献１及び特許文献２の技術では、枠体の上面に当接させた押圧部材を、ボルトやナット等を用いて第一取付部材や第二取付部材の方向へ締付けることにより、押圧部材と第一取付部材や第二取付部材の上面との間に枠体を挟持して取付けている。
【０００４】
しかしながら、特許文献１及び特許文献２のような技術では、取付対象物に立設された第一取付部材及び第二取付部材の上面同士の距離が、取付ける太陽電池モジュールの大きさに応じて設定されている距離よりも長い場合、それら上面と押圧部材とにおいて枠体と接触している面積が少なくなることから、枠体を挟持するための接触面積が狭くなり、十分な取付強度が得られなくなる虞がある。
【０００５】
また、太陽電池モジュールの枠体を、第一取付部材や第二取付部材の上面と押圧部材とで挟んでいるだけであるため、太陽電池モジュールを取付けた後で、風雨や地震等による振動が作用することにより、押圧部材と一緒に第一取付部材や第二取付部材の上面が、太陽電池モジュールの面（太陽電池パネルの面に平行な面）に対して相対的に移動してしまうことがある。そして、振動によって第一取付部材や第二取付部材の上面が、太陽電池モジュールの面に沿って互いに離れる方向へ移動した場合、上述と同様に、枠体を挟持するための接触面積が狭くなるため、太陽電池モジュールの取付け後に取付強度が低下してしまう虞がある。
【先行技術文献】
【特許文献】
【０００６】
【特許文献１】特開２０１３−１１７１２１号公報
【特許文献２】特開２０１３−１７７７７８号公報
【発明の概要】
【発明が解決しようとする課題】
【０００７】
そこで、本発明は上記の実情に鑑み、取付対象物に対して太陽電池モジュールを十分な強度で取付けることができると共に、取付けた後でも取付強度を十分に維持することができる太陽電池モジュールの取付構造の提供を課題とする。
【課題を解決するための手段】
【０００８】
上記の課題を解決するために、本発明に係る太陽電池モジュールの取付構造は、「平板状の太陽電池パネルの外周が枠体で囲まれている太陽電池モジュールを取付対象物に取付けるための太陽電池モジュールの取付構造であって、設置対象物に取付けられる平板状の第一設置部、及び該第一設置部の一端部辺に接続されており太陽電池モジュールの一辺の枠体が載置されている平板状の第一載置部、を有している第一取付部材と、設置対象物における該第一取付部材から離間した位置に取付けられる平板状の第二設置部、及び該第二設置部の一端部辺に接続されていると共に前記第一載置部と同一面上に延出しており太陽電池モジュールにおける該第一載置部に載置されている枠体の辺と平行な辺の枠体が載置されている平板状の第二載置部、を有している第二取付部材と、前記第一載置部と前記第二載置部とに跨って架設されるように両端部側が前記第一載置部と前記第二載置部に夫々取付けられている帯板状の架設部材と、前記第一載置部に載置されている枠体の上面を該第一載置部へ押圧している第一押圧部材と、前記第二載置部に載置されている枠体の上面を該第二載置部へ押圧している第二押圧部材とを具備している」ことを特徴とする。
【０００９】
ここで、「取付対象物」としては、「屋根の上面を形成している屋根材」、「建物の構造部材（野地板、垂木、梁、柱、壁、等）」、「屋根上に取付けられている部材（短尺の固定部材、長尺の桟部材、等）」、「地面に設置されている基礎部材」、「基礎部材に取付けられている桟部材」、等を例示することができる。
【００１０】
また、「第一取付部材」及び「第二取付部材」における「端部辺に接続されており」とは、端部辺と直接に繋がっていても良いし、端部辺から延出している延出部を介して間接的に繋がっていても良い。また、「第一載置部」及び「第二載置部」は、取付対象物の取付面に対して平行に延びている面に対して同一面上であっても良いし、取付対象物の取付面に対して傾斜している面に対して同一面上であっても良い。
【００１１】
本構成によれば、第一取付部材の第一載置部と、第二取付部材の第二載置部とを、架設部材で繋いでいるため、架設部材を取付ける太陽電池モジュールの大きさに対応した長さ（太陽電池モジュールにおいて第一載置部及び第二載置部に載置される枠体が延びている方向に対して直角方向の長さに、第一押圧部材及び第二押圧部材の大きさを加えた長さ）とすることにより、第一載置部と第二載置部との間の距離を、取付ける太陽電池モジュールに対応した距離とすることができる。
【００１２】
また、太陽電池モジュールを取付対象物に取付けた後で、風雨や地震等による振動が作用しても、第一載置部と第二載置部とを架設部材で繋いでいるため、従来の技術とは異なり、第一載置部と第二載置部とが互いに離れる方向へ移動することはない。
【００１３】
従って、第一載置部と第一押圧部材と、及び第二載置部と第二押圧部材と、によって太陽電池モジュールの枠体を挟持するための接触面積の減少を防止することができるため、太陽電池モジュールの枠体を十分な強度で取付けることができると共に、取付け後における取付強度の低下を抑制して取付強度を十分に維持することができる。
【００１４】
ところで、特許文献１や特許文献２のような従来の技術において、取付対象物に太陽電池モジュールを取付けている状態では、第一取付部材と第二取付部材の上面同士の間の部位を、太陽電池モジュール（太陽電池パネル）が繋いでいる。そのため、風雨や地震等によって第一取付部材と第二取付部材の上面同士が接近・離反するような振動や力が作用した場合、その振動等が枠体を介して太陽電池パネルに作用することとなり、太陽電池パネルが破損したり耐久性が低下したりする虞がある。これに対して、本構成によれば、第一載置部と第二載置部とを架設部材で繋いでいるため、風雨や地震等によって第一載置部と第二載置部とを接近・離反させるような振動や力が作用しても、その振動等を架設部材で受けることができ、太陽電池モジュールの負担を低減して太陽電池モジュールの耐久性の低下を抑制することができる。
【００１５】
本発明に係る太陽電池モジュールの取付構造は、上記の構成に加えて、「前記第一取付部材は、前記第一載置部を貫通している第一取付孔を更に有していると共に、前記第二取付部材は、前記第二載置部を貫通している第二取付孔を更に有しており、且つ、前記架設部材は、前記第一取付孔及び前記第二取付孔と夫々一致している第一挿通孔及び第二挿通孔を有しており、前記第一取付孔と前記第一挿通孔、及び前記第二取付孔と前記第二挿通孔、を夫々貫通して前記架設部材を前記第一載置部及び前記第二載置部に取付けている第一ボルト及び第二ボルトを、更に具備している」ことを特徴としても良い。
【００１６】
ここで、「第一取付孔」及び「第一挿通孔」としては、「両方が、第一ボルトの直径よりも若干大きい内径の通し孔」、「一方が第一ボルトの直径よりも若干大きい内径の通し孔で、他方が第一ボルトと螺合する雌ネジ孔」、を例示することができる。また、「第二取付孔」及び「第二挿通孔」としては、「両方が、第二ボルトの直径よりも若干大きい内径の通し孔」、「一方が第二ボルトの直径よりも若干大きい内径の通し孔で、他方が第二ボルトと螺合する雌ネジ孔」、を例示することができる。
【００１７】
また、「第一ボルト」及び「第二ボルト」としては、「雄ネジよりも直径の大きい頭部を有したボルト」、「雄ネジのみからなるボルト（全ネジボルト）」、等を例示することができる。
【００１８】
本構成は、第一取付孔及び第一挿通孔を貫通させた第一ボルトによって第一取付部材の第一載置部と架設部材の一方の端部側とを取付けていると共に、第二取付孔及び第二取付孔を貫通させた第二ボルトによって第二取付部材の第二載置部と架設部材の一方とは反対の端部側とを取付けている。従って、第一載置部と第二載置部との接近・離反を確実に防止することができる。
【００１９】
本発明に係る太陽電池モジュールの取付構造は、上記の構成に加えて、「前記架設部材は、前記第一載置部及び前記第二載置部の外周面の少なくとも一部に当接している当接部を有している」ことを特徴としても良い。
【００２０】
ここで、「当接部」としては、「突条」、「突起」、「段」、「窪み」、等を例示することができる。
【００２１】
本構成によれば、第一取付部材や第二取付部材と架設部材とを組立てる際に、架設部材の当接部を、第一載置部及び第二載置部の外周面に当接させることにより、互いの位置関係を決め易く、組立てに係る手間が容易である。
【発明の効果】
【００２２】
このように、本発明によれば、取付対象物に対して太陽電池モジュールを十分な強度で取付けることができると共に、取付けた後でも取付強度を十分に維持することができる太陽電池モジュールの取付構造を提供できる。
【図面の簡単な説明】
【００２３】
【図１】本発明の一実施形態である太陽電池モジュールの取付構造の全体構成を示す正面図である。
【図２】（ａ）は図１において第一取付部材側の構成を拡大して示す断面図であり、（ｂ）は図１において第二取付部材側の構成を拡大すると共に上下方向の一部を省略して示す断面図である。
【図３】第一取付部材側の構成を分解して示す説明図である。
【図４】第二取付部材側の構成を分解して示す説明図である。
【図５】第一取付部材を示す斜視図である。
【図６】第二取付部材を示す斜視図である。
【図７】架設部材を示す斜視図である。
【図８】第一押圧部材（第二押圧部材）を単品で示す斜視図である。
【図９】（ａ）は図１とは異なる形態の第二取付部材を示す正面図であり、（ｂ）は更に異なる形態の第二取付部材を示す正面図である。
【発明を実施するための形態】
【００２４】
本発明の一実施形態である太陽電池モジュールの取付構造１（以下、単に取付構造１とも称す）について、図１乃至図８を参照して詳細に説明する。本実施形態は、図１等に示すように、平板状の太陽電池パネル３の外周が枠体２で囲まれている太陽電池モジュール４を、取付対象物としての屋根５上に取付られている短尺の固定部材６に取付けるための取付構造１である。固定部材６は、取付ける太陽電池モジュール４の大きさに応じた間隔で南北方向（図１において左右方向）に離間して屋根５上に取付けられており、上面から固定ボルト６ａが上方へ延び出している。
【００２５】
本実施形態の取付構造１は、太陽電池モジュール４の南方（図１において左方）を向いている辺の枠体２が載置され南側の固定部材６に取付けられている第一取付部材１１と、太陽電池モジュール４の北方（図１において右方）を向いている辺の枠体２が載置され北側の固定部材６に取付けられる第二取付部材１２と、第一取付部材１１と第二取付部材１２とに跨って架設されている帯板状の架設部材１３と、第一取付部材１１に架設部材１３の一方の端部側を取付けている第一ボルト１４と、第二取付部材１２に架設部材１３の反対の端部側を取付けている第二ボルト１５と、を備えている。第一ボルト１４及び第二ボルト１５は、六角ボルトである。
【００２６】
また、取付構造１は、第一ボルト１４のネジ作用によって第一取付部材１１に載置されている枠体２を第一取付部材１１へ押圧している第一押圧部材１６Ａと、第二ボルト１５のネジ作用によって第二取付部材１２に載置されている枠体２を第二取付部材１２へ押圧している第二押圧部材１６Ｂと、を備えている。
【００２７】
第一取付部材１１は、図５等に示すように、固定部材６に取付けられる平板状の第一設置部１１ａと、第一設置部１１ａにおける一端部辺から上方へ延び出している平板状の第一延出部１１ｂと、第一延出部１１ｂの上端部辺から第一設置部１１ａとは反対側へ斜め上方に延び出している平板状の第一載置部１１ｃと、第一設置部１１ａを貫通しており第一延出部１１ｂと接している端部辺に直角に延びている長孔の第一設置孔１１ｄと、第一載置部１１ｃを貫通している丸孔の第一取付孔１１ｅと、を有している。
【００２８】
第一取付部材１１では、第一載置部１１ｃの上面に太陽電池モジュール４の枠体２が載置される。第一設置孔１１ｄは、第一設置部１１ａの中央に形成されており、固定部材６の固定ボルト６ａが挿通されている。また、第一取付孔１１ｅは、第一載置部１１ｃにおいて、第一延出部１１ｂと接している端部辺に直角の方向の中央よりも第一延出部１１ｂ寄りに形成されている。この第一取付孔１１ｅには、第一ボルト１４が挿通されている。第一取付部材１１は、ステンレス鋼板、ガルバリウム鋼板、等の帯板材を折り曲げて形成されている。
【００２９】
第二取付部材１２は、図６等に示すように、固定部材６に取付けられる平板状の第二設置部１２ａと、第二設置部１２ａにおける一端部辺から上方へ第一延出部１１ｂよりも高く延び出している平板状の第二延出部１２ｂと、第二延出部１２ｂの上端部辺から第二設置部１２ａとは反対側へ斜め下方へ延び出している平板状の第二載置部１２ｃと、第二設置部１２ａを貫通しており第二延出部１２ｂと接している端部辺に直角に延びている長孔の第二設置孔１２ｄと、第二載置部１２ｃを貫通している丸孔の第二取付孔１２ｅと、を有している。
【００３０】
第二取付部材１２では、第二載置部１２ｃの上面に太陽電池モジュール４の枠体２が載置される。また、第二取付部材１２は、第二設置部１２ａの下面と第二載置部１２ｃの上面との互いの延長面が交わる角度が、第一設置部１１ａの下面と第一載置部１１ｃの上面との互いの延長面が交わる角度と同じである。
【００３１】
第二設置孔１２ｄは、第二設置部１２ａの中央に形成されており、固定部材６の固定ボルト６ａが挿通されている。また、第二取付孔１２ｅは、第二載置部１２ｃにおいて、第二延出部１２ｂと接している端部辺に直角の方向の中央よりも第二延出部１２ｂ寄りに形成されている。この第二取付孔１２ｅには、第二ボルト１５が挿通されている。第二取付部材１２は、ステンレス鋼板、ガルバリウム鋼板、等の帯板材を折り曲げて形成されている。
【００３２】
架設部材１３は、図７に示すように、長手方向の一方の端部側で貫通しており第一取付孔１１ｅと一致する丸孔の第一挿通孔１３ａと、第一挿通孔１３ａとは反対側の長手方向の端部側で貫通しており第二取付孔１２ｅと一致する丸孔の第二挿通孔１３ｂと、長手方向に対して直角方向を向いている一方の端部辺から下方へ突出している当接部１３ｃと、を備えている。当接部１３ｃは、長手方向の全長に亘って延びている。第一挿通孔１３ａと第二挿通孔１３ｂとの間隔は、取付ける太陽電池モジュール４の大きさに対応している距離（太陽電池モジュール４の南北方向に延びている辺（枠体２）の長さに、第一押圧部材１６Ａ及び第二押圧部材１６Ｂを取付けることができる長さを加えた距離）に設定されている。
【００３３】
本実施形態の架設部材１３は、長手方向の長さが、屋根５上に取付ける太陽電池モジュール４の大きさに対応した長さに設定されている。また、架設部材１３は、ステンレス鋼板、ガルバリウム鋼板、等の帯板材を折り曲げて、或は、アルミ合金等の金属の押出型材によって形成されている。
【００３４】
第一押圧部材１６Ａと第二押圧部材１６Ｂは、同一の部材である。第一押圧部材１６Ａ（第二押圧部材１６Ｂ）は、図８に示すように、平面視の外形が長方形で水平に延びている平板状の基部１６ａと、基部１６ａにおける二つの長辺のうちの一方の辺から下方へ延び出している平板状の主脚部１６ｂと、基部１６ａにおける他方の長辺から主脚部１６ｂよりも若干短く下方へ延出している平板状の副脚部１６ｃと、基部１６ａにおける副脚部１６ｃと接している長辺から上方へ延び出している平板状の首部１６ｄと、首部１６ｄの上辺から基部１６ａと平行に基部１６ａ側とは反対側へ延び出している平板状の腕部１６ｅと、基部１６ａを貫通している丸孔の押圧孔１６ｆと、を有している。
【００３５】
第一押圧部材１６Ａ及び第二押圧部材１６Ｂは、主脚部１６ｂの下面から腕部１６ｅの下面までの高さが、太陽電池モジュール４の枠体２の高さと同じである。また、押圧孔１６ｆは、基部１６ａにおいて長手方向の中央に形成されている。第一押圧部材１６Ａ及び第二押圧部材１６Ｂは、アルミ合金等の金属の押出型材によって形成されている。
【００３６】
次に、屋根５上へ太陽電池モジュール４を取付け、本実施形態の取付構造を構築する方法について説明する。ここでは、一つの太陽電池モジュール４に対して、四つの固定部材６を用いた取付方法について説明する。まず、一組（二つ）の固定部材６を、取付ける太陽電池モジュール４の大きさに対応して予め設定されている距離を開けて、南北方向に並ぶように屋根５上に取付ける。ここで、太陽電池モジュール４の大きさに対応して予め設定されている距離とは、取付ける太陽電池モジュール４と対応している架設部材１３の長さと、第一設置部１１ａの下面と第一載置部１１ｃの上面との互いの延長面が交わる角度と、第一載置部１１ｃから第一設置孔１１ｄまで及び第二載置部１２ｃから第二設置孔１２ｄまでの第一設置部１１ａ及び第二設置部１２ａの下面に沿った方向の距離と、によって求められるものである。
【００３７】
続いて、南北に並んで取付けられている固定部材６の東方又は西方に、太陽電池モジュール４の東西方向の長さよりも短い距離を開けて、固定部材６を夫々屋根５上に取付ける。なお、本実施形態の屋根５は、折板屋根である。また、四つの固定部材６の取付けは、東西方向に並ぶ固定部材６から先に取付けても良い。
【００３８】
続いて、架設部材１３の長手方向の両端側に、第一取付部材１１及び第二取付部材１２を取付て、第一取付部材１１、第二取付部材１２、及び架設部材１３を、一体に組立てる。具体的には、架設部材１３の第一挿通孔１３ａが形成されている端部側において、架設部材１３の下面（当接部１３ｃが突出している側の面）に第一取付部材１１の第一載置部１１ｃの上面を当接させると共に、第一載置部１１ｃの側面（図３において紙面に垂直な方向を向いている面）を、当接部１３ｃの内側面に当接させる。この際に、第一取付部材１１を、第一設置部１１ａが架設部材１３の長手方向端部から外方へ突出するように向ける。
【００３９】
そして、第一挿通孔１３ａと第一取付孔１１ｅとを一致させる。この際に、架設部材１３では、当接部１３ｃの内側面から第一挿通孔１３ａの中心までの距離が、第一載置部１１ｃの側面から第一取付孔１１ｅの中心までの距離と、同じ距離に設定されているため、当接部１３ｃの内側面に第一載置部１１ｃの側面を当接させた状態で、第一載置部１１ｃを架設部材１３の長手方向へスライドさせることにより、第一取付孔１１ｅと第一挿通孔１３ａとを容易に一致させることができる。
【００４０】
その後、第一載置部１１ｃの下方から第一ボルト１４を、第一取付孔１１ｅ及び第一挿通孔１３ａに挿通し、架設部材１３よりも上方へ突出している第一ボルト１４の上端に座付ナット１７を螺合させる。そして、座付ナット１７を締付けることにより、架設部材１３の長手方向の一方の端部側に、第一取付部材１１を取付ける。
【００４１】
架設部材１３の第二挿通孔１３ｂが形成されている端部側においては、架設部材１３の下面に第二取付部材１２の第二載置部１２ｃの上面を当接させると共に、第二載置部１２ｃの側面（図４において紙面に垂直な方向を向いている面）を当接部１３ｃの内側面に当接させる。この際に、第二取付部材１２を、第二設置部１２ａが架設部材１３の長手方向端部から外方へ突出するように向ける。
【００４２】
そして、第二挿通孔１３ｂと第二取付孔１２ｅとを一致させる。この際に、架設部材１３では、当接部１３ｃの内側面から第二挿通孔１３ｂの中心までの距離が、第二載置部１２ｃの側面から第二取付孔１２ｅの中心までの距離と、同じ距離に設定されているため、当接部１３ｃの内側面に第二載置部１２ｃの側面を当接させた状態で、第二載置部１２ｃを架設部材１３の長手方向へスライドさせることにより、第二取付孔１２ｅと第二挿通孔１３ｂとを容易に一致させることができる。
【００４３】
その後、第二載置部１２ｃの下方から第二ボルト１５を、第二取付孔１２ｅ及び第二挿通孔１３ｂに挿通し、架設部材１３よりも上方へ突出している第二ボルト１５の上端に座付ナット１７を螺合させる。そして、座付ナット１７を締付けることにより、架設部材１３の長手方向の一方とは反対の端部側に、第二取付部材１２を取付ける。
【００４４】
このようにして、第一取付部材１１、第二取付部材１２、及び架設部材１３を、一体に組立てることができる。この状態では、第一載置部１１ｃと第二載置部１２ｃとが同一面上となる。また、第一取付部材１１と第二取付部材１２は、一体に組立てた状態で、夫々の下面が、同一面上となるように第一延出部１１ｂと第二延出部１２ｂの高さが夫々設定されている。
【００４５】
第一取付部材１１、第二取付部材１２、及び架設部材１３を、一体に組立てたら、第一設置部１１ａと第二設置部１２ａを、南北方向に離間している一組の固定部材６に取付ける。詳述すると、南側の固定部材６では、固定ボルト６ａを第一設置孔１１ｄに対して下方から貫通させて、固定部材６の上面に第一設置部１１ａの下面を当接させる。その後、第一設置部１１ａよりも上方へ突出している固定ボルト６ａに、平座金１８、及びバネ座金１９を嵌めると共に、固定ナット２０を螺合させて、固定ナット２０を締付ける。
【００４６】
一方、北側の固定部材６では、固定ボルト６ａを第二設置孔１２ｄに対して下方から貫通させて、固定部材６の上面に第二設置部１２ａの下面を当接させる。その後、第二設置部１２ａよりも上方へ突出している固定ボルト６ａに、平座金１８、及びバネ座金１９を嵌めると共に、固定ナット２０を螺合させて、固定ナット２０を締付ける。これにより、南北方向に離間している一組の固定部材６に、第一取付部材１１、第二取付部材１２、及び架設部材１３が取付けられた状態となる。この状態では、架設部材１３は、南側の端部が低くなるように傾斜した状態で取付けられる。
【００４７】
なお、長孔の第一設置孔１１ｄと第二設置孔１２ｄとは、南北方向に延びた状態となるため、一組の固定部材６の南北方向の距離が、設定されている距離に対して、多少ズレていても、第一取付部材１１や第二取付部材１２を固定部材６に取付けることができる。
【００４８】
その後、東西方向に距離を開けて屋根５上に取付けられている残りの一組の固定部材６に対しても、上記と同様の手順で、予め一体に組立てた第一取付部材１１、第二取付部材１２、及び架設部材１３を取付ける。なお、第一取付部材１１及び第二取付部材１２を、先に南側及び北側の固定部材６に取付けた後に、架設部材１３の長手方向の両端部側を、第一載置部１１ｃ及び第二載置部１２ｃに載置し、第一ボルト１４及び第二ボルト１５と座付ナット１７を用いて、第一取付部材１１、第二取付部材１２、及び架設部材１３を一体に組立てても良い。
【００４９】
続いて、架設部材１３の長手方向の両端部側において、上方へ突出している第一ボルト１４と第二ボルト１５との間で、太陽電池モジュール４を架設部材１３上に載置する。これにより、太陽電池モジュール４の南方を向いている辺の枠体２が、架設部材１３を介して第一載置部１１ｃに載置されていると共に、反対側の北方を向いている辺の枠体２が、架設部材１３を介して第二載置部１２ｃに載置されている状態となる（図２を参照）。
【００５０】
この状態で、太陽電池モジュール４の南方及び北方を向いている枠体２を、第一押圧部材１６Ａ及び第二押圧部材１６Ｂによって第一載置部１１ｃ及び第二載置部１２ｃへ押圧することにより、太陽電池モジュール４を取付ける。
【００５１】
詳述すると、第一取付部材１１側では、第一押圧部材１６Ａを、腕部１６ｅが太陽電池モジュール４の方向（北方）へ延び出すように向けた状態で、第一ボルト１４が下方から押圧孔１６ｆを貫通するように、主脚部１６ｂの下端を架設部材１３の上面に当接させる（図２及び図３を参照）。これにより、第一押圧部材１６Ａにおける腕部１６ｅ下面が、枠体２の上面に当接した状態となる。
【００５２】
続いて、押圧孔１６ｆを貫通して基部１６ａよりも上方へ突出している第一ボルト１４に、平座金１８、及びバネ座金１９を嵌めると共に、取付ナット２１を螺合させる。そして、取付ナット２１を締付けることで、第一ボルト１４のネジ作用により、第一押圧部材１６Ａの腕部１６ｅが枠体２の上面を第一載置部１１ｃへ押圧する。これにより、第一載置部１１ｃと第一押圧部材１６Ａとの間に枠体２が挟持されて取付けられた状態となる。
【００５３】
一方、第二取付部材１２側では、第二押圧部材１６Ｂを、腕部１６ｅが太陽電池モジュール４の方向（南方）へ延び出すように向けた状態で、第二ボルト１５が下方から押圧孔１６ｆを貫通するように、主脚部１６ｂの下端を架設部材１３の上面に当接させる（図２及び図４を参照）。これにより、第二押圧部材１６Ｂにおける腕部１６ｅ下面が、枠体２の上面に当接した状態となる。
【００５４】
続いて、押圧孔１６ｆを貫通して基部１６ａよりも上方へ突出している第二ボルト１５に、平座金１８、及びバネ座金１９を嵌めると共に、取付ナット２１を螺合させる。そして、取付ナット２１を締付けることで、第二ボルト１５のネジ作用により、第二押圧部材１６Ｂの腕部１６ｅが枠体２の上面を第二載置部１２ｃへ押圧する。これにより、第二載置部１２ｃと第二押圧部材１６Ｂとの間に枠体２が挟持されて取付けられた状態となり、屋根５上への太陽電池モジュール４の取付けが完了する。
【００５５】
なお、太陽電池モジュール４を取付ける際に、各取付ナット２１を、仮締めした後に、夫々のバランスを見ながら増締めして締付けることが望ましい。また、屋根５上に複数の太陽電池モジュール４を取付ける場合は、上記と同様の手順で、複数の太陽電池モジュール４が、南北方向や東西方向に列設されるように取付ける。
【００５６】
このように、本実施形態の取付構造１によれば、第一取付部材１１の第一載置部１１ｃと、第二取付部材１２の第二載置部１２ｃとを、取付ける太陽電池モジュール４の大きさに対応した長さに設定されている架設部材１３で繋いでいるため、第一載置部１１ｃと第二載置部１２ｃとの間の距離が、取付ける太陽電池モジュール４に対応した距離となる。また、太陽電池モジュール４を固定部材６を介して屋根５上に取付けた後で、風雨や地震等による振動が作用しても、第一載置部１１ｃと第二載置部１２ｃとを架設部材１３で繋いでいるため、従来の技術とは異なり、第一載置部１１ｃと第二載置部１２ｃとが互いに離れる方向へ移動することはない。従って、第一載置部１１ｃと第一押圧部材１６Ａと、及び第二載置部１２ｃと第二押圧部材１６Ｂと、によって太陽電池モジュール４の枠体２を挟持するための接触面積の減少を防止することができるため、太陽電池モジュール４の枠体２を十分な強度で取付けることができると共に、取付け後における取付強度の低下を抑制して取付強度を十分に維持することができる。
【００５７】
また、第一載置部１１ｃと第二載置部１２ｃとを架設部材１３で繋いでいるため、風雨や地震等によって第一載置部１１ｃと第二載置部１２ｃとを接近・離反させるような振動や力が作用しても、その振動等を架設部材１３で受けることができ、太陽電池モジュール４の負担を低減して太陽電池モジュール４の耐久性の低下を抑制することができる。
【００５８】
また、第一載置部１１ｃと第二載置部１２ｃとを架設部材１３で繋いでいるため、第一載置部１１ｃや第二載置部１２ｃに太陽電池モジュール４の枠体２を載置する作業を容易に行うことができる。詳述すると、従来の技術のように架設部材がない取付構造では、太陽電池モジュールの枠体を、第一取付部材や第二取付部材の狭い上面に載置しなければならず、手間がかかっていた。これに対して、本実施形態の取付構造１では、例えば、太陽電池モジュール４の面を架設部材１３の上面に対して斜めにした状態で、南方を向いている枠体２の隅部を、第一載置部１１ｃと第二載置部１２ｃとを繋いでいる架設部材１３上に接触させ、その状態で架設部材１３上を滑らせて接触させた枠体２を第一載置部１１ｃ上となる位置へ移動させる。その後、太陽電池モジュール４の面が架設部材１３の上面と平行になるように、北方を向いている枠体２を架設部材１３の方向へ移動させると、その枠体２が第二載置部１２ｃ上となる位置に載置されることとなり、太陽電池モジュール４の載置作業を容易にすることができる。
【００５９】
更に、本実施形態の取付構造１では、一つの第一ボルト１４を用いて、第一載置部１１ｃと架設部材１３の一方の端部側との取付けと、第一載置部１１ｃへの第一押圧部材１６Ａの取付けとを行っていると共に、一つの第二ボルト１５を用いて、第二載置部１２ｃと架設部材１３の反対側の端部側との取付けと、第二載置部１２ｃへの第二押圧部材１６Ｂの取付けとを行っている。つまり、ボルトを共用しているため、取付構造１に係る部品点数が少なくなり、コストを低減させることができると共に、太陽電池モジュール４の取付けに係る手間を容易にすることができる。
【００６０】
また、第一取付部材１１や第二取付部材１２と、架設部材１３とを組立てる際に、架設部材１３の当接部１３ｃを、第一載置部１１ｃ及び第二載置部１２ｃの外周面（側面）に当接させることにより、互いの位置関係を決め易く、組立てに係る手間を容易にすることができる。
【００６１】
また、第一取付部材１１及び第二取付部材１２において、第一載置部１１ｃ及び第二載置部１２ｃを、夫々第一設置部１１ａ及び第二設置部１２ａの反対側へ延び出させているため、第一設置部１１ａ及び第二設置部１２ａを固定部材６に取付ける際に、固定ナット２０を回転させる工具を第一設置部１１ａ及び第二設置部１２ａの上方に位置させることができ、取付作業が容易である。
【００６２】
更に、第一取付部材１１、第二取付部材１２、及び架設部材１３を、第一ボルト１４及び第二ボルト１５を用いて一体に組立てているため、例えば、第一取付部材１１、第二取付部材１２、及び架設部材１３が、もともと一体である場合と比較して、個々の部品を小さくすることができ、太陽電池モジュール４を取付ける屋根５上等への搬送性を高めることができる。
【００６３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６４】
例えば、上記の実施形態では、第二取付部材１２において、第二設置部１２ａの反対側へ延び出している第二載置部１２ｃを示したが、これに限定するものではなく、図９（ａ）に示すように、第二設置部１２ａと同じ側へ延び出している第二載置部１２ｃとしても良い。なお、この場合、第二延出部１２ｂを、第一設置部１２ａとは反対側に斜め上方へ延び出させることが望ましい。これにより、第二載置部１２ｃが第二設置部１２ａの直上へ延び出す量を少なくなるため、第二設置部１２ａの上方へ工具を位置させ易く、固定部材６への第二設置部１２ａの取付作業が容易である。
【００６５】
また、上記の実施形態では、第二取付部材１２において、第二延出部１２ｂの上端部辺から斜め下方へ延び出している第二載置部１２ｃを示したが、これに限定するものではなく、図９（ｂ）に示すように、第二設置部１２ａと平行に延び出している第二載置部１２ｃとしても良い。この場合、第二取付部材１２と同じ形状の第一取付部材１１を用いることができ、取付構造１を構成している部品点数を低減させることができる。
【００６６】
また、上記の実施形態では、第一取付孔１１ｅ及び第二取付孔１２ｅを丸孔としていると共に、第一取付孔１１ｅ及び第二取付孔１２ｅに挿通されている第一ボルト１４及び第二ボルト１５を六角ボルトとしている例を示したが、これに限定するものではなく、第一取付孔１１ｅ及び第二取付孔１２ｅを四角い角孔とすると共に、第一ボルト１４及び第二ボルト１５を、第一取付孔１１ｅ及び第二取付孔１２ｅと嵌合する根角部を有している根角ボルトとしても良い。
【００６７】
更に、上記の実施形態では、取付対象物として屋根５上に取付けられている固定部材６を示したが、これに限定するものではなく、取付対象物として、屋根の上面を形成している屋根材、建物の構造部材（野地板、垂木、梁、柱、壁、等）、屋根上に取付けられている長尺の桟部材、地面に設置されている基礎部材、基礎部材に取付けられている桟部材、等としても良い。また、屋根５は、概ね水平に延びていても良いし、傾斜していても良い。
【符号の説明】
【００６８】
１  太陽電池モジュールの取付構造
２  枠体
３  太陽電池パネル
４  太陽電池モジュール
５  屋根
６  固定部材（取付対象物）
６ａ  固定ボルト
１１  第一取付部材
１１ａ  第一設置部
１１ｂ  第一延出部
１１ｃ  第一載置部
１１ｄ  第一設置孔
１１ｅ  第一取付孔
１２  第二取付部材
１２ａ  第二設置部
１２ｂ  第二延出部
１２ｃ  第二載置部
１２ｄ  第二設置孔
１２ｅ  第二取付孔
１３  架設部材
１３ａ  第一挿通孔
１３ｂ  第二挿通孔
１３ｃ  当接部
１４  第一ボルト
１５  第二ボルト
１６Ａ  第一押圧部材
１６Ｂ  第二押圧部材
１６ａ  基部
１６ｂ  主脚部
１６ｃ  副脚部
１６ｄ  首部
１６ｅ  腕部
１６ｆ  押圧孔
１７  座付ナット
１８  平座金
１９  バネ座金
２０  固定ナット
２１  取付ナット
【図１】
2015113647.tif 000003
【図２】
2015113647.tif 000004
【図３】
2015113647.tif 000005
【図４】
2015113647.tif 000006
【図５】
2015113647.tif 000007
【図６】
2015113647.tif 000008
【図７】
2015113647.tif 000009
【図８】
2015113647.tif 000010
【図９】
2015113647.tif 000011